(57)【特許請求の範囲】
【請求項１】
記録テープが巻装された単一のリールを回転可能に収容する略矩形状のケースと、
前記ケースのドライブ装置への装填側角部を切り欠いて形成され、前記記録テープの端部に取り付けられたリーダ部材を引き出すための開口と、
前記ケースに前記開口を開閉可能に設けられ、前記ケースの前記ドライブ装置への装填動作によって該ドライブ装置の開閉部材に係合しつつ前記開口の開放側へ移動する遮蔽部材と、
前記ケースの前記開口側とは反対側の側部に、前記ドライブ装置への装填側及び該装填側とは反対側に開口しないように設けられ、前記開口を開放する際に前記ドライブ装置の係合部材が係合する凹部と、
を備えた記録テープカートリッジ。
【請求項２】
前記凹部は、前記ケースの前記開口側とは反対側の側部における長手方向中央部に設けられている請求項１記載の記録テープカートリッジ。
【請求項３】
前記凹部は、前記開口を開放する際に前記ドライブ装置の係合部材が係合する係合面と、カートリッジ自動搬送装置の収容部に収容された状態で該収容部内に設けられた位置決め部材によって前記開口側に押圧される押圧面とを有する請求項１または請求項２記載の記録テープカートリッジ。
【請求項４】
前記ケースが上ケースと下ケースとの接合より成り、前記凹部が上ケースに上方及び側方に開口して設けられた請求項１乃至請求項３の何れか１項記載の記録テープカートリッジ。
【発明の詳細な説明】
【０００１】
【発明の属する技術分野】
本発明は、磁気テープ等の記録テープが巻装された単一のリールを回転可能に収容した記録テープカートリッジに関する。
【０００２】
【従来の技術】
コンピュータ等の外部記録媒体として磁気テープ等の記録テープが用いられている。この記録テープとして、保存時の収容スペースが小さく、大容量の情報が記録できる、記録テープが巻装された単一のリールを収容する記録テープカートリッジが採用されている。
【０００３】
この記録テープカートリッジでは、それぞれ樹脂材料にて成形された上ケースと下ケースとの接合より成るケース内に、記録テープを巻装した単一のリールが回転可能に収容されている。このケースには開口が形成されており、この開口から記録テープを引き出しドライブ装置側の巻取リールに巻き取らせるようになっている。
【０００４】
そして、開口から塵埃等が侵入して記録テープに付着しないように、この開口は遮蔽部材であるドアによって開閉されるようになっている。すなわち、記録テープカートリッジの非使用時には開口はドアによって閉塞され、記録テープカートリッジの使用時にはドアが移動または回動して開口が開放されるようになっている。
【０００５】
このようなドアを備えた記録テープカートリッジとしては、ケースのドライブ装置への装填方向に沿った側壁に設けられた開口と、前記側壁の内側を前記装填方向に沿ってスライドして開口を開閉するドアと、このドアを開口閉塞方向に付勢するばねと、ドアに設けられケースのドライブ装置への装填動作によって該ドライブ装置の開閉部材に係合しつつドアを開口開放方向にスライドさせる操作部とを備えた構成が知られている。
【０００６】
この構成によって、単にケース（すなわち、記録テープカートリッジ）をドライブ装置へ装填する動作によって、具体的にはドライブ装置のバケット上に載置されたケースが該バケットと共に上記装填方向へ移動することによって、ドアに設けられた操作部がドライブ装置に固定された（バケットと相対移動する）開閉部材に係合しつつドアをケースに対しスライドさせ開口が開放される。これにより、ドライブ装置は、単に操作部に係合可能な位置に開閉部材を固定配置すれば足り、構造が簡単である。
【０００７】
【発明が解決しようとする課題】
しかしながら、上記のような従来の記録テープカートリッジでは、開口を開放する際にドアの操作部がドライブ装置の開閉部材に係合すると、該係合部位廻りの回転モーメントが作用し、ケース（すなわち、記録テープカートリッジ）が上記係合部位廻りに回動し上記装填方向に対し傾斜するという問題があった。特に、ばねの付勢力に抗しつつ開口を開放するので、この回転モーメント（装填方向の押し込み力）が大きくケースがドライブ装置内で傾斜しやすい。
【０００８】
この状態でケースをドライブ装置内へ押し込んでいくと、ケースがドライブ装置内で擦れ、ケースが傷ついたり、ドライブ装置内に磨耗粉が発生したり、ケースがドライブ装置内でスタックしたりする恐れがある。
【０００９】
そこで、この回転モーメントを打ち消すために、下ケースの上記装填方向先頭側の面（前面）における開口が形成された側璧と離間した位置にドライブ装置のバケットに設けた係合部材を係合させ、この係合状態を維持しつつケースをバケットと共に上記装填方向へ移動し開口を開放する構成が考えられている。
【００１０】
しかしながら、上記の通り樹脂材料にて成形された上ケースと下ケースとの接合より成るケースでは、上記前面を含む外面は、シボ加工等を施された意匠面とされ成形後の型抜き用の抜き勾配が大きく寸法精度が低い。このようなケース前面にドライブ装置の係合部材を係合させると、ケースはバケット上での位置精度が低く、上記回転モーメントを打ち消されつつも該バケット上で若干傾斜した状態でドライブ装置へ装填される。このため、ドアには、そのスムースな移動（すなわち、開口開放動作）を妨げる原因となる開口開放方向以外の分力が作用しやすいという問題があった。
【００１１】
また、下ケースの前面は、上記抜き勾配によって上記装填方向に対し下向きに傾斜した傾斜面となっているため、上記回転モーメントを打ち消す際の反力によってケースにはその前部を浮き上がらせる方向の力が作用する。この力によってケースが上記装填方向に対し上下方向に傾斜すると、この傾斜もドアのスムースな移動を妨げる原因となる。
【００１２】
本発明は上記事実を考慮して、ドライブ装置への装填動作によってドアを開口開放方向に移動させる際に、該装填方向に対するケースの傾斜を防止できる記録テープカートリッジを得ることが目的である。
【００１３】
【課題を解決するための手段】
上記目的を達成するために請求項１記載の発明に係る記録テープカートリッジは、記録テープが巻装された単一のリールを回転可能に収容する略矩形状のケースと、前記ケースのドライブ装置への装填側角部を切り欠いて形成され、前記記録テープの端部に取り付けられたリーダ部材を引き出すための開口と、前記ケースに前記開口を開閉可能に設けられ、前記ケースの前記ドライブ装置への装填動作によって該ドライブ装置の開閉部材に係合しつつ前記開口の開放側へ移動する遮蔽部材と、前記ケースの前記開口側とは反対側の側部に、前記ドライブ装置への装填側及び該装填側とは反対側に開口しないように設けられ、前記開口を開放する際に前記ドライブ装置の係合部材が係合する凹部と、を備えている。
【００１４】
請求項１記載の記録テープカートリッジでは、記録テープの非使用時には、遮蔽部材によって開口が閉塞されてケース内への塵埃等の侵入が阻止される。これにより、ケース内に収容されているリールに巻装された記録テープへの塵埃等の付着が防止される。
【００１５】
一方、記録テープを使用する際には、記録テープカートリッジ（ケース）はドライブ装置へ装填される。この装填動作によって、遮蔽部材がドライブ装置の開閉部材に係合しつつ開口の開放方向に移動し、開口が開放される。
【００１６】
このとき、ケースの開口側とは反対側の側部に設けられた凹部にはドライブ装置の係合部材が係合し、ケースに作用する遮蔽部材と開閉部材との係合部位廻りの回転モーメントを打ち消す。
【００１７】
これにより、ケースは、遮蔽部材と開閉部材との係合部位廻りに回動して上記装填方向に対し傾斜することなくドライブ装置へ装填され、ドライブ装置内で擦れることもない。
【００１８】
また、上記の凹部では、係合部材との係合部位を意匠面とする必要がないため、例えば、該係合部位は上記装填方向を向くと共に型抜き用の抜き勾配を最小とした係合面とすることができる。抜き勾配が小さい係合面は、寸法精度が高いため、上記回転モーメントを打ち消すためにドライブ装置の係合部材が係合して（押圧されて）も、ケースのドライブ装置への装填過程（例えば、バケット上）での位置精度を確保できる。また、係合面の抜き勾配が小さいと、ケースの上記装填方向に対する上下方向の傾きも防止（抑止）できる。以上により、遮蔽部材はスムースに開口を開放する。
【００１９】
このように、請求項１記載の記録テープカートリッジでは、ドライブ装置への装填動作によってドアを開口開放方向に移動させる際に、該装填方向に対するケースの傾斜を防止できる。
【００２１】
請求項２記載の発明に係る記録テープカートリッジは、請求項１記載の記録テープカートリッジにおいて、前記凹部は、前記ケースの前記開口側とは反対側の側部における長手方向中央部に設けられている。この構成では、ドライブ装置の係合部材がケースを開口形成側（凹部が設けられた側壁と反対側の側壁側）に押し付けて位置決めし遮蔽部材と開閉部材とを確実に係合させる機能をも有する場合に、この係合部材によってケースを上記装填方向に直交する方向に対し傾けることなく押し付けることができる。また、凹部（係合面）と係合部材との係合によるケースを上下方向に傾斜させる力（モーメント）の発生も防止または微小に抑止できる。
【００２２】
請求項３記載の発明に係る記録テープカートリッジは、請求項１または請求項２記載の記録テープカートリッジにおいて、前記凹部は、前記開口を開放する際に前記ドライブ装置の係合部材が係合する係合面と、カートリッジ自動搬送装置の収容部に収容された状態で該収容部内に設けられた位置決め部材によって前記開口側に押圧される押圧面とを有する。
この構成では、カートリッジ自動搬送装置の収容部に収容された記録テープカートリッジは、凹部が位置決め部材に押圧されると、該収容部内で開口側に片寄せられ（押し付けられ）位置決めされる。このように、ケースの一方の側部に設けられた凹部により位置決めされるため、ケース及び収容部が共に簡素化され好適である。特に、上記凹部を上記側部の長手方向中央部に設けた構成では、収容部内の位置決め部材が凹部の押圧面を押圧して開口側にケースを片寄せる際に、ケースが傾斜することなく位置決めされ好適である。
請求項４記載の発明に係る記録テープカートリッジは、請求項１乃至請求項３の何れか１項記載の記録テープカートリッジにおいて、前記ケースが上ケースと下ケースとの接合より成り、前記凹部が上ケースに上方及び側方に開口して設けられている。
この構成では、凹部は上方に開口した側から型抜きされるため、加工が容易である。また、ドライブ装置の係合部材は、凹部の上方または側方から該凹部に入り込むことができ、ドライブ装置の設計自由度が向上する（異なる係合部材の進入機構を有するドライブ装置に対応できる）。さらに、上記係合面を備えた構成では、上方に開口した側から型抜きされる凹部の係合面は抜き勾配によって上記装填方向に対しわずかに上向きに傾斜するが、ドライブ装置への装填時にケースは下方から支持されている（例えば、バケット上に載置されている）ため、ドライブ装置の係合部材が係合面を押圧しても、この押圧力の一部は上記上向きの傾斜によってケースを下方へ押し付ける押し付け力に変換されるのみでケースを上下方向に傾斜させない。このため、遮蔽部材に作用する開口開放方向の移動力は他の方向の分力を生じさせず、遮蔽部材はより一層スムースに開口を開放する。
【００２３】
【発明の実施の形態】
本発明の実施の形態に係る記録テープカートリッジ１０について、図１乃至図９に基づいて説明する。先ず、記録テープカートリッジ１０の概略の全体構成を説明し、次いで、開口及び遮蔽部材としてのドア、及び本発明の要部である凹部としてのセルリテンションノッチ５８について説明する。
【００２４】
なお、説明の便宜上、矢印Ａで示す記録テープカートリッジ１０のドライブ装置への装填方向を記録テープカートリッジ１０の前方向（前側）とし、矢印Ａと直交する矢印Ｂ方向、矢印Ｃ方向をそれぞれ右方向、左方向とする。
（記録テープカートリッジの全体構成）
図１及び図２には記録テープカートリッジ１０の全体構成が斜視図にて示されており、図３には記録テープカートリッジ１０の概略の分解斜視図が示されている。
【００２５】
これらの図に示される如く、記録テープカートリッジ１０は、平面視で略矩形状のケース１２内に、情報記録再生媒体である記録テープとしての磁気テープＴを巻装した単一のリール１４を回転可能に収容して構成されている。
【００２６】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。そして、上ケース１６及び下ケース１８の周壁１６Ａ、１８Ａが切り取られた角部が磁気テープＴの引き出し用の開口２０とされている。
【００２７】
この開口２０から引き出される磁気テープＴの自由端には、ドライブ装置の引出手段によって係止（係合）されつつ引き出し操作されるリーダピン２２が接続されている。リーダピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２８】
また、ケース１２の開口２０の内側には、ケース１２内においてリーダピン２２を位置決め、保持する上下一対のピン台２４が設けられている。ピン台２４は、半円筒形状をしており、その凹部２４Ａに直立した状態のリーダピン２２の両端部が保持される。そして、ピン台２４の外周壁の磁気テープＴ引き出し側は開放しており、リーダピン２２が出入りする出入り口となっている。
【００２９】
ピン台２４の近傍には板ばね２５が固定配置されており、この板ばね２５がリーダピン２２の上下端部に係合してリーダピン２２をピン台２４に保持するようになっている。リーダピン２２がピン台２４に出入りする際には、板ばね２５は適宜弾性変形してリーダピン２２の移動を許容する構成である。
【００３０】
さらに、下ケース１８の底板１８Ｂの中央部には、リール１４の図示しないリールギヤを外部に露出するためのギヤ開口２６が設けられており、リール１４はリールギヤがドライブ装置の駆動ギヤに噛合わされてケース１２内で回転駆動されるようになっている。また、リール１４は、上ケース１６の天板１６Ｂ及び下ケース１８底板１８Ｂの内面にそれぞれ立設されてギヤ開口２６と同軸的な円形の軌跡上にある（一部切り欠かれた短円筒状の）内壁としての遊動規制壁２８によってガタ付かないように保持されている。遊動規制壁２８は、開口２０の近傍では切欠かれている。
【００３１】
この遊動規制壁２８の開口２０近傍の端部には、内部に位置規制用孔が形成された袋部２８Ａが連設されている。また、ケース１２の左前角部の内側においては、長孔である位置規制用孔が形成された袋部２８Ｂが遊動規制壁２８に連設されている。袋部２８Ａ、２８Ｂは、左右（矢印Ｂ、Ｃ）方向に沿った一直線上に配置されている。
（開口及び開口近傍のケースの構成）
上記の通り、開口２０は、ケース１２の右前角部が切り欠かれて形成されることで、その開放面が矢印Ａ方向及び矢印Ｂ方向に向くように構成されている。
【００３２】
図５乃至図７にも示される如く、ケース１２の前壁１２Ａ（周壁１６Ａ、１８Ａのうち、外面が矢印Ａ方向を向く部分）の右端部には、開口２０の前縁部を規定する上下一対の短い傾斜壁部３０が設けられている。傾斜壁部３０は、開口２０の開放面に沿って屈曲されると共に前壁１２Ａよりも厚肉化されている。
【００３３】
この傾斜壁部３０の厚み方向の中央部には、後述するドア５０の先端が入り込む凹部３０Ａが形成されている。また、傾斜壁部３０の左方近傍の前壁１２Ａ内側には、上下一対のビスボス３２が連設されている。
【００３４】
一方、ケース１２の右壁１２Ｂ（周壁１６Ａ、１８Ａのうち、矢印Ａ方向に沿った右側の側壁）の前端部には、ケース１２の内方（左方）へ若干オフセットされた上下一対のオフセット壁部３４が設けられている。このオフセット壁部３４の前端が開口２０の後縁を規定している。
【００３５】
また、オフセット壁部３４の前端部内側には上下一対のビスボス３６が連設されており、このビスボス３６の外周部はドア５０と摺動可能なドア５０の案内（ガタつき防止）用としても機能する。さらに、オフセット壁部３４の後端部と右壁１２Ｂとの間には、上下一対の段部３８が一体に形成されている。
【００３６】
図４にも示される如く、オフセット壁部３４後方の右壁１２Ｂには、ケース１２の内外を連通する窓部としての所定長さのスリット４０が設けらており、後述するドア５０の操作突起５２の露出用とされている。スリット４０は、右壁１２Ｂを構成する周壁１６Ａの下部を切り欠いて形成され、上ケース１６の段部３８の下部をも切り欠くことで前方へも開口されている。すなわち、スリット４０の下端部は、下ケース１８の周壁１８Ａ及び段部３８の上端面によって規定されている。これにより、スリット４０は、上ケース１６と下ケース１８との突き当て部（パーティションライン）よりも上方に位置し、該パーティションラインよりも上方に位置するセルリテンションノッチ５８（後述）に対応している。
【００３７】
このスリット４０の上下端がリブとしても機能する周壁１６Ａの一部、周壁１８Ａによって規定されているため、ケース１２の剛性が維持され、落下強度上好ましい。さらに、スリット４０がオフセット壁部３４を挟んで開口２０とは独立して設けられているため、開口２０後縁のコーナー部の剛性が高くなり、落下強度上一層好ましい。
【００３８】
また、上下のオフセット壁部３４の後端部には、それぞれ段部３８とは反対方向（ケース１２の内方）に突出した凸部４２が全高に亘って設けられており、その端面が後述するドア５０の外面に対応して湾曲している。一方、遊動規制壁２８の凸部４２に対応する位置には、ドア５０の内面に対応して湾曲し凸部４２と対向する凸部４４が全高に亘って設けられている。
【００３９】
凸部４２と凸部４４とは、ドア５０が開口２０を開閉する際に該ドア５０を挟むようにこれと摺動可能になっており、ケース１２内への塵埃侵入防止用及びドア５０の案内（ガタつき防止）用とされている。
【００４０】
さらに、スリット４０の後端を規定する右壁１２Ｂ（周壁１６Ａ、１８Ａ）の部分にもケース１２の内方に突出した凸部４６が設けられており、ケース１２内への塵埃侵入防止用及びドア５０の案内（ガタつき防止）用とされている。
【００４１】
さらにまた、下ケース１８の凸部４６の後方には、周壁１８Ａの上端を除く部分が断面視略「コ」字状にケース１２の内方へ凹むと共にケース１２の下面から上方へも凹んだ（底板１８Ｂが切り欠かれた）凹部４８が形成されている。この凹部４８は、ケース１２の左壁にも形成され、例えば、ドライブ装置の引き込み手段が係合する係合部とされたり、その底面（下向きの面）がドライブ装置内での位置決め基準面とされたりするようになっている。また、凹部４８を設けることでケース１２の捩り強度が向上されている。
【００４２】
そして、この凹部４８を規定する右壁１２Ｂ（周壁１８Ａ）の部分は、ドア５０の外面に対応して湾曲され、開口２０を開閉する際にドア５０の外面が摺動可能なドア５０案内（ガタつき防止）用の案内面４８Ａとされている。
【００４３】
以上説明した上ケース１６と下ケース１８とは、開口２０の縁部の近傍に位置する各ビスボス３２、３６に下側から図示しないビスがねじ込まれて、固定（接合）される構成である。これによって、傾斜壁部３０（前壁１２Ａ）及びオフセット壁部３４（右壁１２Ｂ）の各自由端によって規定され強度的に不利で落下によって地面等に衝突しやすい開口２０両端のコーナー部は強固に接合され、ケース１２を落しても、記録テープカートリッジ１０全体の重量で、変形したり座屈して位置ズレしない構成である。
【００４４】
なお、ビスのネジ山径は一例として、φ２．０ｍｍで、ビスボス３２及びビスボス３６の外径をφ４．０ｍｍとしている。また、ビス止めに代えて、ビスボス３２、３６に相当する位置に上ケース１６から突起を突設すると共に下ケース１８に突起と嵌合する嵌合孔を設け、突起と嵌合孔とを互いに嵌合させても良いが、この場合、嵌合部位の半径３０ｍｍ以内の箇所において上ケース１６と下ケース１８とをビス止めすることが望ましい。さらに、周壁１６Ａ、１８Ａの付き合せ面（開口２０両側のコーナー部）は溶着固定しても良いが、分解性やリサイクル性を考慮するとビス止めの方が望ましい。
【００４５】
また、ピン台２４が設置されたエリア（開口２０付近）では、板厚が上ケース１６及び下ケース１８とも２ｍｍとされ、他のエリアと比較して厚肉となっている。さらに、ケース１２（上ケース１６及び下ケース１８）はポリカーボネート素材（ＰＣ）で形成されている。また、ケース１２はＰＣに代えてアクリロニトリルブタジエートスチレン（ＡＢＳ）や金属材とすることもできる。
【００４６】
これは、記録テープカートリッジ１０の機能上で最も重要な（記録テープを引き出す際に引出手段に正しく係止されるべき）リーダピン２２の保持（位置決め）位置であるピン台２４付近の強度を上げ、ケース１２（記録テープカートリッジ１０）の落下等による衝撃でリーダピン２２の位置ズレが生じないようにするためである。
【００４７】
また、ピン台２４の設置位置は、その保持するリーダピン２２の軸心が開口２０の前後の縁部を結ぶ第１の仮想直線（図示省略）上または該第１の仮想直線よりもケース１２内側に位置するように決められており、より好ましくは２つのビスボス３２、３６の軸心を結ぶ第２の仮想直線（図示省略）上または該第２の仮想直線よりもケース１２内側に位置するように決められている。さらに、本実施の形態では、ピン台２４は、ビスボス３６よりもビスボス３２に近接した位置に配置されている。これにより、ケース１２の落下等に伴う天板１６Ｂ及び底板１８Ｂの振動によるリーダピン２２の位置ズレも防止される構成である。
【００４８】
さらにまた、ケース１２は、上ケース１６の周壁１６Ａと下ケース１８の周壁１８Ａとが同等の高さとされ、互いの突き合せ部の加工精度（金型による樹脂成形の精度）が同程度となり、組立性や耐落下衝撃性が良好とされている。
【００４９】
一方、開口２０の開放面の矢印Ａ方向に対する傾斜角（開口２０の上下を規定するケース１２の天板１６Ｂ及び底板１８Ｂの傾斜角）は、後述するライブラリ装置７０における記録テープカートリッジ１０の識別（認識）の要求に応じて決められている。すなわち、ライブラリ装置７０は、その取り扱う記録テープカートリッジ１０及びドライブ装置が複数種となる場合、記録テープカートリッジ１０の世代や記録容量等を認識する必要があり、この認識に開口２０の開放面の傾斜角を利用することができる。
【００５０】
これにより、上記の如く強度上の配慮が為された磁気テープＴ引き出し用の開口２０が、その開放面の傾斜角（具体的には、開口２０の上下を規定する１６Ｂまたは底板１８Ｂの傾斜角）によってライブラリ装置７０での認識部を兼ねるため、開口２０と認識部とを別個に設けた場合（例えば、認識部としてケース１２に１つまたは複数の貫通孔を設けた場合）に懸念されるケース１２の強度不足や防塵性の低下、及び金型構造の複雑化を防止できる。
【００５１】
以上説明した開口２０は、右前角部が切り欠かれて形成されることで開放面が矢印Ａ方向及び矢印Ｂ方向に向く（開放面が矢印Ａ方向に対して傾斜している）ため、ドライブ装置の引出手段が、矢印Ａ方向、矢印Ｂ方向、或いは矢印Ａ方向と矢印Ｂ方向との間からアクセスしてリーダピン２２をチャックできる。これにより、リーダピン２２を保持するピン台２４を設置可能なエリアが広がり、ドライブ装置の引出手段がリーダピン２２をチャック可能な領域が広いため、矢印Ａ方向または矢印Ｂ方向からチャックするドライブ装置の仕様に合わせてピン台２４の設置位置を設定できる。そして、後述するドア５０はその動作軌跡がリーダピン２２の現実的な設置可能位置とは干渉しないため、ドライブ装置の設計の自由度も広がる。
【００５２】
また、ドライブ装置は、その引出手段がケース１２の矢印Ａ方向を向く前面側からリーダピン２２にアクセスする構成とすれば、磁気テープＴを引き出すための経路を最短とでき、さらに、引出手段がケース１２の矢印Ｂ側から回り込むようなドライブメカが不要となり、小型化及び低コスト化が図られる。さらに、上記の如く磁気テープＴを引き出すための経路を最短にすると、磁気テープＴのパス経路も必然的に短くなるので、磁気テープＴとテープガイド（例えば、回転可能に支持されたローラ等）との接触摩耗を低減することができる。
（ドアの構成）
以上説明した開口２０は、上ケース１６を一部切り欠いて見た図５乃至図７にも示される如く、遮蔽部材としてのドア５０によって開閉されるようになっている。ドア５０は、その板幅（高さ）が開口２０の開口高とほぼ同一とされると共にその板長が開口２０の開口幅よりも十分大きくされ、所定の円周に沿って板厚方向に湾曲した平面視円弧状に形成されている。
【００５３】
具体的には、ドア５０は、その先端部が傾斜壁部３０の凹部３０Ａに入り込んだ状態で開口２０を閉塞し（図５参照）、上記円周に沿って略後方へ移動（回動）して開口２０を開放し（図６参照）、その先端近傍の外周面がビスボス３６近傍に達すると開口２０を完全に開放する（図７参照）構成である。また、ドア５０は、開口２０を開放する際と略反対方向に回動して開口２０を閉塞するようになっている。なお、開口２０の閉塞状態では、ドア５０がビスボス３６、凸部４２、４４の少なくとも１つに接するようになっている。
【００５４】
すなわち、ドア５０は、その移動軌跡である所定の円周に対応した円弧状に湾曲形成されている。このドア５０の回動中心は、本実施の形態では、その左右方向の位置がケース１２の左端近傍に、その前後方向の位置がスリット４０の後端近傍に設定されている。これにより、ドア５０の移動軌跡は、スリット４０の後端近傍においてケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリ装置７０からの要求により決まる開口２０の開放面の角度等に応じて適宜決められれば良い。
【００５５】
また、ドア５０の湾曲した長手寸法は、その後端部が開口２０の閉塞状態においてケース１２の凹部４８よりも後方の右後角部内に位置するように決められている。これにより、ドア５０は、開口２０を開閉する全過程で、ケース１２のビスボス３６、凸部４２、４４、４６、案内面４８Ａ（及び遊動規制壁２８）に案内され（ガタを規制され）るようになっている。
【００５６】
このドア５０の長手方向中央部よりも若干前方における外周部には、操作部としての操作突起５２がドア５０の径方向に沿って突設されている。操作突起５２は、スリット４０からケース１２の外側に露出されており、開口２０の閉塞状態ではオフセット壁部３４の後端の凸部４２からわずかに離間して位置すると共にスリット４０の段部３８に前方へ開口した部分から操作可能とされている。この状態で操作突起５２の先端部が右壁１２Ｂの外面（ケース１２の外形領域）よりも突出しないように各部の寸法が決められている（図５参照）。
【００５７】
一方、操作突起５２は、開口２０の開放状態では、スリット４０の後縁の凸部４６からわずかに離間して位置するようになっている。なお、この状態で、操作突起５２の長手方向がケース１２の右壁１２Ｂ（矢印Ａ方向）と略直交するように各部の寸法が決められている（図７参照）。
【００５８】
そして、この操作突起５２露出用のスリット４０によってケース１２の内外が連通されるが、このスリット４０は、ケース１２内の略全高に亘るドア５０と該ドア５０を案内する凸部４２、４６とによって常時ほぼ閉塞され、かつ内壁としての遊動規制壁２８及びドア５０を案内する凸部４４によってリール１４の収容空間との間に迷路構造が形成されることにより、リール１４に巻装された磁気テープＴへの塵埃等の付着が防止されるようになっている。
【００５９】
また、ドア５０の後端近傍の内周部には、ばね保持部５４がドア５０の径方向に沿って突設されている。このばね保持部５４には、一端部がケース１２内の凹部４８近傍に設けられたばね係止部５５に係止された付勢手段としてのコイルばね５６の他端部が係止保持されている。これにより、ドア５０は、コイルばね５６の付勢力によって開口２０の閉塞方向に付勢され、通常開口２０を閉塞する構成である。
【００６０】
このコイルばね５６は、上記の通りドア５０が開口２０の閉塞状態でケース１２の右後角部に至る長さであるため、該右後角部における遊動規制壁２８と周壁１６Ａ、１８Ｂとの間の空間を有効利用して配設されている。
【００６１】
以上説明したドア５０は、ＰＣより成るケース１２に対して、耐摩耗性に優れ低摩擦係数である、例えば、ポリオキシメチレン（ＰＯＭ）樹脂によって成形されているが、操作突起５２やばね保持部５４は別体（別材料）にて構成しても良い。そして、ドア５０の動作をスムースに行うために、ドア５０の上下の端面とケース１２の天板１６Ｂ及び底板１８Ｂとのクリアランスは、片側で０．０５ｍｍから０．２ｍｍ程度とすることが好ましい。
【００６２】
以上説明したドア５０は、記録テープカートリッジ１０がドライブ装置へ装填される動作によって操作突起５２がドライブ装置の係合突起６２に係合することでコイルばね５６の付勢力に抗してケース１２に対し移動し開口２０を開放し、ドライブ装置から排出される際にはコイルばね５６の付勢力によって開口２０を閉塞する構成である。
【００６３】
そして、円弧状に湾曲形成されたドア５０は、その湾曲形状に沿った移動軌跡からはみ出すことなくリール１４及びピン台２４（リーダピン２２）の外側を回り込むように回動して開口２０を開閉するようになっており、開口２０の開閉に際してケース１２の外形領域からはみ出さない構成である。このため、ドライブ装置内における記録テープカートリッジ１０の収容スペースが小さく、かつ、ドア５０の移動軌跡がケース１２内のピン台２４（リーダピン２２）やリール１４と干渉することがない。また、ドア５０は湾曲形状に沿った移動軌跡からはみ出すことなく開口２０を開閉し作動領域が小さいため、ケース１２の角部を大きく切り欠いて大きな開口２０を形成することができる。特に、矢印Ａ方向に対して開放面が傾斜した開口２０を開閉するためのドア５０の回動中心は、リール１４の軸心位置に対して独立して決めることができるため、開口２０の開放面の矢印Ａ方向に対する傾斜角や開口２０の大きさ（前後の縁部を結ぶ距離）等を任意に設定でき、ドライブ装置等の要求に応じた任意の寸法形状の開口２０を開閉するドア５０を得ることができる。すなわち、ドア５０を備えた構成では、開口２０（記録テープカートリッジ１０）の設計の自由度が向上する。
【００６４】
さらに、ドア５０は、ケース１２から引き出されるリーダピン２２とは別部材であり組付状態でケース１２からの取り外し不能な構成となっているため、記録テープカートリッジ１０を落下させた場合の衝撃等によってケース１２から外れることがない。一方、リーダピン２２は、磁気テープＴの非使用時にはドア５０によって開口２０が閉塞された密閉状態のケース１２内に収納されており、キズや汚れが付き難い。このため、ドライブ装置内での磁気テープＴの引き出しや走行に影響を与えず、磁気テープＴ自体を損傷することもない。
【００６５】
一方、ドライブ装置の係合突起６２は、単にスリット４０に前方から進入して操作突起５２に係合可能に固定配置されていれば足り、構造が簡単である。また、ドア５０は、コイルばね５６の付勢力によって開口２０を閉塞するため、ドライブ装置には該ドア５０を開口２０の閉塞方向へ駆動するための機構が不要で該ドライブ装置の開閉手段（開閉部材）の構造を一層簡素化できる構成である。
（セルリテンションノッチの構成）
また、ケース１２は、本発明における「凹部」としてのセルリテンションノッチ５８を備えている。セルリテンションノッチ５８は、上ケース１６の矢印Ｃ側端部（開口２０側とは左右方向反対側の端部）における前後方向略中央部に設けられており、それぞれ上ケース１６の天板１６Ｂ及びケース１２の左壁１２Ｃ（周壁１６Ａ、１８Ａのうち、矢印Ａ方向に沿った左側の側壁）において上方及び左方に開口している。
【００６６】
このセルリテンションノッチ５８を規定する壁部の外面のうち、矢印Ａ方向を向く面が係合面５８Ａとされている。係合面５８Ａは、開口２０を開放する際に後述するドライブ装置の係合部材６０が係合するようになっており、その抜き勾配が小さくされる（例えば、意匠面を構成する前壁１２Ａの抜き勾配が２°であるのに対して、抜き勾配が略０．５°とされる）ことで矢印Ａ方向に対し略垂直（わずかに上向き）な面とされている。
【００６７】
そして、この係合面５８Ａは、係合部材６０と係合することでドア５０の操作突起５２が係合突起６２と係合しつつ開口２０を開放する際にケース１２に作用する回転モーメントを打ち消す（回転モーメントに抗する）構成である。
【００６８】
また、ケース１２の角部（周壁１６Ａの上端と天板１６Ｂとの角部や周壁１８Ａと底板１８Ｂとの角部）は全体に丸められたアール仕舞いとされているが、セルリテンションノッチ５８の上下方向及び側方向の深さを該アール径よりもそれぞれ大きくすることで、係合面５８Ａの係合部材６０との十分な係合可能面積を確保し、ケース１２の設計やデザインの自由度を損なうこともない構成である。
【００６９】
さらに、セルリテンションノッチ５８の下底面は周壁１６Ａの下端近傍まで至っており、係合面５８Ａの係合部材６０との係合高さ（上下方向の位置）とスリット４０から外部に突出した操作突起５２の係合突起６２との係合高さとが一致するようになっている。
【００７０】
これにより、上記回転モーメントを打ち消す際にケース１２に捩りモーメントが作用しないようになっている。そして、上記の通りスリット４０をパーティションラインの上方に配置することで、セルリテンションノッチ５８（係合面５８Ａ）を上ケース１６に設ければ上記各係合高さを一致させることができ、係合面５８Ａを上ケース１６と下ケース１８との突き当てによって形成する場合に懸念される上下の係合面５８Ａ突き当て部の微小な段差の形成をも防止している。
【００７１】
また、セルリテンションノッチ５８が上方及び左方に開口していることで、ドライブ装置の係合部材６０の係合面５８Ａへのアクセス可能方向が広くドライブ装置の設計自由度が広がると共に、上記の如く係合面５８Ａの抜き勾配を小さく設定した上ケース１６の加工性が良好な構成である。
【００７２】
さらに、セルリテンションノッチ５８は、後述するライブラリ装置７０の押圧ローラ９０（後述）が入り込めるように寸法が決められており、矢印Ｃ方向を向く面が押圧面５８Ｂとされている。この押圧面５８Ｂが押圧ローラ９０によって右方（開口２０側である右壁１２Ｂ側）へ押圧されることでケース１２がライブラリ装置７０のホルダ部７２内で位置決めされる構成である。そして、セルリテンションノッチ５８（押圧面５８Ｂ）がケース１２の前後方向略中央部に設けられることで、ケース１２は押圧ローラ９０に押圧される際に矢印Ｂ方向に対し殆ど傾くことなく移動できるようになっている。
【００７３】
なお、セルリテンションノッチ５８は、ケース１２の前後方向略中央部に設けられその下方に凹部４８が位置するため（この他にも下ケース１８には各種用途の凹部や孔等を設ける場合が多いため）、上ケース１６に設けた構成としたが、スリット４０と共に下ケース１８側に設けても良い。但し、下ケース１８に設ける係合面５８Ａは抜き勾配によって矢印Ａ方向に対しわずかに下向きの面となるため、上記の如くセルリテンションノッチ５８（係合面５８Ａ）を上ケース１６に設けることが好ましい。
【００７４】
次に、本実施の形態の作用について説明する。
【００７５】
上記構成の記録テープカートリッジ１０では、非使用時（保管時や運搬時等）には、開口２０がドア５０によって閉塞されている。具体的には、ドア５０は、コイルばね５６の付勢力によって、その先端部（前端部）が傾斜壁部３０の凹部３０Ａに入り込むと共に、中間部外周面がビスボス３６の外周面に略接して開口２０を閉塞している。
【００７６】
一方、磁気テープＴを使用する際には、記録テープカートリッジ１０を矢印Ａ方向に沿ってドライブ装置のバケットへ挿入する（ドライブ装置へ装填する）。すると、図５に示される如く、バケットに設けられた係合部材６０が、図示しない駆動機構やばね力等によって、上方または左方からケース１２のセルリテンションノッチ５８に入り込む。この状態で、バケットは、記録テープカートリッジ１０と共にドライブ装置内で矢印Ａ方向へ移動する。
【００７７】
この移動（ドライブ装置への装填動作、すなわちドライブ装置との相対移動）に伴って、ドライブ装置の開閉手段を構成する開閉部材としての係合突起６２が、段部３８において前方へ開口したスリット４０に進入し、ドア５０の操作突起５２に係合する。
【００７８】
バケットが記録テープカートリッジ１０（ケース１２）と共にさらに矢印Ａ方向へ移動すると、図６に示される如く、この移動力によってコイルばね５６の付勢力に抗しつつ、係合突起６２が操作突起５２を略後方へ移動させる（矢印Ａ方向へ移動するケース１２に対して略後方へ相対移動する）。
【００７９】
すると、操作突起５２が突設されたドア５０は、ビスボス３６、凸部４２、４４、４６及び案内面４８Ａに案内されつつ、その湾曲方向に沿って平面視時計方向に回動し（ピン台２４及びリール１４の外側を回り込むように略後方へ移動し）、開口２０を開放する。
【００８０】
このとき、ケース１２には、上記移動力の反力による操作突起５２と係合突起６２との係合部位Ｄ廻りの回転モーメント（図６に示す矢印Ｅ方向のモーメント）が作用するが、係合部材６０がケース１２の係合面５８Ａに係合（当接）することでケース１２には上記矢印Ｅ方向の回転モーメントに抗する（釣合う）矢印Ｆ方向の力が作用し、該矢印Ｅ方向の回転モーメントが打ち消される。
【００８１】
これにより、ケース１２は、ドア５０の操作突起５２と係合突起６２との係合部位Ｄ廻りに回動して矢印Ａ方向に対し傾斜することなく、矢印Ａ方向に沿って適正に（ドライブ装置に擦れることなく）ドライブ装置に装填される。また、ドア５０もスムースに移動して開口２０を開放する。
【００８２】
そして、バケットが矢印Ａ方向に所定量移動すると、すなわち、ケース１２（記録テープカートリッジ１０）がドライブ装置に所定深さ装填されると、図７に示される如く開口２０が完全に開放され、記録テープカートリッジ１０がドライブ装置内で位置決めされると共にドア５０がそれ以上の回動（略後方への移動）を規制される。
【００８３】
この状態で、開放された開口２０からはドライブ装置の引出手段がケース１２内に進入し、この引出手段がピン台２４に位置決め保持されたリーダピン２２を抜き出して巻取リールに収容する。そして、巻取リールとリール１４とを同期して回転駆動すると、磁気テープＴは、巻取リールに巻き取られつつケース１２から順次引き出され、所定のテープ経路に沿って配設された記録再生ヘッド等によって情報の記録や再生が行われる。
【００８４】
一方、磁気テープＴがリール１４に巻き戻されて、記録テープカートリッジ１０をドライブ装置から排出する際には、記録テープカートリッジ１０は、位置決め状態が解除され、バケットと共に矢印Ａとは反対方向に移動する。この移動後、係合部材６０がセルリテンションノッチ５８から抜け出る。
【００８５】
そして、ドア５０は、ビスボス３６、凸部４２、４４、４６及び案内面４８Ａに案内されつつ、コイルばね５６の付勢力によって開口２０の閉塞方向へ回動する。ドア５０の先端部が傾斜壁部３０の凹部３０Ａに入り込むと、開口２０が完全に閉塞される初期状態に復帰する。
【００８６】
ここで、上記の通り開口２０を開放する際には、セルリテンションノッチ５８の係合面５８Ａに係合部材６０が係合することでケース１２に作用する上記回転モーメントが打ち消され、ケースは矢印Ａ方向に沿ってドライブ装置に適正に装填される。
【００８７】
また、係合面５８Ａは、ケース１２の左端部に凹んで設けられたセルリテンションノッチ５８に（意匠面を構成しない位置に）形成され抜き勾配が小さいため、寸法精度が高い。このため、上記回転モーメントを打ち消すためにドライブ装置の係合部材６０が係合して（押圧されて）も、ケース１２のバケット上での位置精度が確保される。
【００８８】
さらに、係合面５８Ａの抜き勾配が小さいため、ケース１２の矢印Ａ方向に対する上下方向の傾斜も防止される。特に、上方に開口した側から型抜きされるセルリテンションノッチ５８の係合面５８Ａは抜き勾配によって矢印Ａ方向に対しわずかに上向きに傾斜するが、ドライブ装置への装填時にケース１２はバケットにより下方から支持されている（バケット上に載置されている）ため、係合部材６０が係合面５８Ａを押圧しても該押圧力の一部は上記上向きの傾斜によってケース１２を下方へ押し付ける押し付け力に変換されるのみでケース１２を上下方向に傾斜させることがない。
【００８９】
以上により、ケース１２は矢印Ａ方向に対し左右方向及び上下方向共に殆ど傾斜することなくドライブ装置へ装填され、ドア５０に作用する開口２０開放方向の移動力（操作突起５２と係合突起６２との係合状態で作用するバケットの移動力）は分力を殆ど生じず、ドア５０は開口２０をスムースに開放する。
【００９０】
このように、本実施の形態に係る記録テープカートリッジ１０では、ドライブ装置への装填動作によってドア５０を開口開放方向に移動させる際に、該装填方向（矢印Ａ方向）に対するケース１２の傾斜を防止できる。
【００９１】
また、上記構成の記録テープカートリッジ１０のセルリテンションノッチ５８は、上記ドライブ装置内における開口２０を開放する際の上記回転モーメントを打ち消すための（係合部材６０が係合する）機能に代えて、または、該機能と兼ねて、カートリッジ自動搬送装置としてのライブラリ装置７０における位置決め機能を備えた構成としても良い。先ず、図８に基づいてライブラリ装置７０の一例を説明する。
【００９２】
図８に概略斜視図にて示される如く、ライブラリ装置７０は、それぞれ記録テープカートリッジ１０を収容可能な複数の収容部としてのホルダ部（マガジン）７２を有する収容棚部７４と、１基または複数（本実施の形態では４基）のドライブ装置７６が設置された記録再生部７８と、記録テープカートリッジ１０の後端側部を把持可能なチャッキング機構８０を各ホルダ部７２と各ドライブ装置７６との間で移動可能な移動機構部８２とを備えて構成されている。
【００９３】
このライブラリ装置７０では、使用される記録テープカートリッジ１０をチャッキング機構８０及び移動機構部８２によってホルダ部７２から抜き出して記録再生部７８のドライブ装置７６へ装填し、使用後の記録テープカートリッジ１０をチャッキング機構８０及び移動機構部８２によってドライブ装置７６から抜き出して収容棚部７４のホルダ部７２へ収容（装填）するようになっている。
【００９４】
これにより、複数（多数）収容した記録テープカートリッジ１０を自動的かつ高速でドライブ装置７６に着脱でき、大規模（大容量の）な情報バックアップシステムが構築されている。また、ライブラリ装置７０は、記録テープカートリッジ１０を含む複数種類の記録テープカートリッジを取り扱うようになっており、その種類に応じて仕様の異なるホルダ部７２、ドライブ装置７６を備えて構成されている。
【００９５】
次に、記録テープカートリッジ１０を収容するホルダ部７２について説明する。図９に示される如く、ホルダ部７２の内部には、前後方向の位置決め基準となるそれぞれ上下一対の位置決めストッパ８４、８６が最奥部に設けらている。右側（開口２０側）の位置決めストッパ８４は、ケース１２の開口２０開放面に対応した傾斜部８４Ａを備えている。また、ホルダ部７２の右内面８８が左右方向の位置決め基準となっている。
【００９６】
さらに、ホルダ部７２内の左端部には、押圧ローラ９０が設けられている。押圧ローラ９０は、ホルダ部７２内にケース１２（記録テープカートリッジ１０）が収容されると、ばね力等によってセルリテンションノッチ５８に入り込んで押圧面５８Ｂを矢印Ｂ方向へ押圧するようになっている。なお、本実施の形態では押圧ローラ９０としたが、セルリテンションノッチ５８に入り込んで押圧面５８Ｂを押圧可能であれば如何なる形状の部材や押圧機構をホルダ部７２内に設けても良い。
【００９７】
このライブラリ装置７０のホルダ部７２内に、チャッキング機構８０及び移動機構部８２によって記録テープカートリッジ１０が収容されると、ケース１２の前壁１２Ａが位置決めストッパ８４、８６に当接する。この状態で押圧ローラ９０がセルリテンションノッチ５８に入り込み押圧面５８Ｂを押圧する。
【００９８】
すると、この押圧力によりケース１２は右内面８８に押し付けられる（片寄せられらる）と共に、その開口２０開放面に沿って切欠かれた右前角部（開口２０の上下端を規定する天板１６Ｂ、底板１８Ｂ）が位置決めストッパ８４の傾斜部８４Ａに当接し、前後方向及び左右方向に位置決めされる。このとき、セルリテンションノッチ５８がケース１２の前後方向略中央部に設けられているため、ケース１２は矢印Ｂ方向に対し殆ど傾くことなく移動し、適正に位置決めされる。
【００９９】
また、押圧ローラ９０はセルリテンションノッチ５８に入り込み押圧面５８Ｂを押圧する状態を維持し、上記位置決め状態を維持すると共にケース１２の脱落（後方への移動）を阻止する。
【０１００】
なお、ホルダ部７２内における位置決めストッパ８４、または、その近傍にはケース１２の開口２０開放面の傾斜角（接触の有無や距離等）を識別する識別手段が設けらており、該ホルダ部７２に対応しない記録テープカートリッジを収容するとチャッキング機構８０及び移動機構部８２によって該記録テープカートリッジを排出させる信号を出力するようになっている。
【０１０１】
このように、押圧ローラ９０がセルリテンションノッチ５８を押圧することで、ケース１２は上記右前角部が位置決めストッパ８４の傾斜部８４Ａに当接し確実に位置決めされるため、上記識別手段による上記開口２０開放面の傾斜角を利用した記録テープカートリッジ１０の識別が確実に為される。
【０１０２】
また、上記位置決めはケース１２の左側部に設けられたセルリテンションノッチ５８を押圧することで為され、ケース１２の右側部にはセルリテンションノッチ５８に対応した凹部を設ける必要がないため、ケース１２（上ケース１６成形用の金型）が簡素化されると共に、金型との接触面積増大に伴う上ケース１６成形時の離型抵抗が増大することもなく、成形不良の発生が抑止される。一方、ホルダ部７２では、押圧ローラ９０を一方側にのみ設ければ足りるため、構成が簡素化されると共に、例えば両側に押圧ローラ９０を設けた構成と比較して、チャッキング機構８０及び移動機構部８２によって記録テープカートリッジ１０をホルダ部７２から抜き出す際の抜き出し力（押圧ローラ９０をケース１２押圧方向の付勢力に抗してセルリテンションノッチ５８から抜き出させる力）を小さく設定でき、記録テープカートリッジ１０を良好に抜き出すことができる。
【０１０３】
そして、セルリテンションノッチ５８が、ドライブ装置内において開口２０開放時の上記回転モーメントを打ち消す機能と、ライブラリ装置７０のホルダ部７２内においてケース１２を位置決めする機能とを兼ねた構成（すなわち、１つのセルリテンションノッチ５８がドライブ装置及びライブラリ装置７０の双方に使用される構成）では、ケース１２に設ける凹部を削減できる。これにより、ケース１２（上ケース１６成形用の金型）が一層簡素化され、離型抵抗の増大も抑止される。
【０１０４】
さらに、セルリテンションノッチ５８は、例えば、押圧面５８Ｂがドライブ装置の係合部材６０によって右方へ押圧されることでバケット上での位置決め用（例えば、操作突起５２の係合突起６２との係合可能位置への移動用や袋部２８Ａ、２８Ｂに設けられた位置規制用孔へのドライブ装置の位置決めピン挿入可能位置への移動用）にのみ用いられても良い。この場合、例えば、ドライブ装置が係合部材６０に代えて押圧ローラ９０を備えるか、ホルダ部７２が押圧ローラ９０に代えて係合部材６０を備えるかすることで、ドライブ装置とライブラリ装置７０とで部品の共用化が図られ、好適である。なお、セルリテンションノッチ５８が該ドライブ装置内（バケット上）での位置決め機能と上記回転モーメントを打ち消す機能とを兼ねた構成としても良いことは言うまでもない。
【０１０５】
なお、上記の実施の形態では、記録テープカートリッジ１０が矢印Ａ方向に対し傾斜した開口２０と、円弧状の移動軌跡に対応したドア５０とを備えた好ましい構成としたが、本発明はこれに限定されず、セルリテンションノッチ５８は、ドライブ装置への装填動作によって開口２０を開放し該開放過程で回転モーメントが作用する如何なる構成の開口やドア（遮蔽部材）を備えた記録テープカートリッジ１０にも適用できる。したがって例えば、記録テープカートリッジ１０は、ケース１２の右壁１２Ｂを貫通した開口を矢印Ａ方向に沿ってスライドして開閉するドアを備えた構成としても良く、操作突起５２がケース１２の底板１８Ｂに設けられたスリットから外部に露出された構成としても良い。
【０１０６】
さらにまた、上記の実施の形態では、記録テープとして磁気テープＴを用いた構成としたが、本発明はこれに限定されず、記録テープは情報の記録及び記録した情報の再生が可能な長尺テープ状の情報記録再生媒体として把握されるものであれば足り、本発明に係る記録テープカートリッジが如何なる記録再生方式の記録テープにも適用可能であることは言うまでもない。
【０１０７】
【発明の効果】
以上説明したように、本発明に係る記録テープカートリッジは、ドライブ装置への装填動作によってドアを開口開放方向に移動させる際に、該装填方向に対するケースの傾斜を防止できるという優れた効果を有する。
【図面の簡単な説明】
【図１】本発明の実施の形態に係る記録テープカートリッジの全体構成を示す斜視図である。
【図２】本発明の実施の形態に係る記録テープカートリッジの全体構成を示す別方向から見た斜視図である。
【図３】本発明の実施の形態に係る記録テープカートリッジの分解斜視図である。
【図４】本発明の実施の形態に係る記録テープカートリッジを構成するケースのスリットを示すドア等を取り除いた斜視図である。
【図５】本発明の実施の形態に係る記録テープカートリッジの開口がドライブ装置により開放される前の状態を示す一部切り欠いた平面図である。
【図６】本発明の実施の形態に係る記録テープカートリッジの開口がドライブ装置により開放される途中の状態を示す一部切り欠いた平面図である。
【図７】本発明の実施の形態に係る記録テープカートリッジの開口がドライブ装置により開放された状態を示す一部切り欠いた平面図である。
【図８】本発明の実施の形態に係る記録テープカートリッジが使用されるライブラリ装置の概略構成を示す斜視図である。
【図９】本発明の実施の形態に係る記録テープカートリッジがライブラリ装置のホルダ部内で位置決めされた状態を示す平面図である。
【符号の説明】
１０    記録テープカートリッジ
１２    ケース
１４    リール
２０    開口
５０    ドア（遮蔽部材）
５８    セルリテンションノッチ（凹部）
６０    係合部材
６２    係合突起（開閉部材、開閉手段）
【図１】
0003808777.tif 000002
【図２】
0003808777.tif 000003
【図３】
0003808777.tif 000004
【図４】
0003808777.tif 000005
【図５】
0003808777.tif 000006
【図６】
0003808777.tif 000007
【図７】
0003808777.tif 000008
【図８】
0003808777.tif 000009
【図９】
0003808777.tif 000010